(57)【要約】      （修正有）【課題】被介護者の身体を洗うときに使用される水などの液体を簡易な構成で排水することができる身体洗い場兼用ベッドを提供する。【解決手段】フレーム１２の長手方向他方側の端部には、フレーム１２の幅方向に延在された水受部２２が設けられている。この水受部２２の内部は、溝部２２Ａとされており、溝部２２Ａの内部に、防水シート１６の排水シート部１６Ｂが配置されている。また、溝部２２Ａの底壁には、排水部２２Ｃが形成されており、排水部２２Ｃには、排水管２４の上端部が接続されている。これにより、防水シート１６の排水シート部１６Ｂから下方側へ流れた液体を、水受部２２によって受けて、排水管２４を介して浴室などに排水することができる。したがって、被介護者の身体を洗うときに使用される水などの液体を、簡易な構成で排水することができる。【選択図】図１
0003211685.tif 000002
【実用新案登録請求の範囲】
【請求項１】
平面視で矩形状を成し且つ上方側へ開放されると共に身体が載置される凹部を有し、前記凹部の底面が長手方向一方側から長手方向他方側へ向かうに従い下方側へ傾斜しているフレームと、
前記凹部を上方側から覆う防水シートと、
前記フレームの長手方向他方側の端部において前記フレームの幅方向に延在され、上方側へ開放された溝状を成すと共に、前記防水シートから前記フレームの長手方向他方側へ流出される液体を受ける水受部と、
前記水受部の底部に形成された排水部に接続され、前記排水部から排出された液体を下方側へ導く排水管と、
を備えた身体洗い場兼用ベッド。
【請求項２】
前記フレームが、幅方向中央部において分割された分割フレームによって構成されると共に、前記水受部が前記フレームに着脱可能に構成されており、
前記分割フレームが前記フレームの長手方向を軸方向として回転可能に連結されている請求項１に記載の身体洗い場兼用ベッド。
【考案の詳細な説明】
【技術分野】
【０００１】
本考案は、身体洗い場兼用ベッドに関する。
【背景技術】
【０００２】
下記特許文献１には、ベッド載置用身体洗浄槽が開示されている。このベッド載置用身体洗浄槽は、上方側へ開放された箱形状を成して、ベッドのマットレスの上に載置されるようになっている。これにより、ベッド載置用身体洗浄槽内に温水を溜めることで、例えば、被介護者がベッド上で入浴することができる。
【先行技術文献】
【特許文献】
【０００３】
【特許文献１】特開２０００−３０８６６６号公報
【考案の概要】
【考案が解決しようとする課題】
【０００４】
しかしながら、上記ベッド載置用身体洗浄槽では、被介護者のベッド上での入浴を簡易な構成で行うことができるものの、入浴後におけるベッド載置用身体洗浄槽内の排水について考慮されていない。つまり、身体の洗い場を兼用するベッドにおいて、排水を簡易な構成で行うという点について、改善の余地がある。
【０００５】
本考案は、上記事実を考慮して、簡易な構成で排水を行うことができる身体洗い場兼用ベッドを提供することを目的とする。
【課題を解決するための手段】
【０００６】
上記課題を解決する第１の態様は、平面視で矩形状を成し且つ上方側へ開放されると共に身体が載置される凹部を有し、前記凹部の底面が長手方向一方側から長手方向他方側へ向かうに従い下方側へ傾斜しているフレームと、前記凹部を上方側から覆う防水シートと、前記フレームの長手方向他方側の端部において前記フレームの幅方向に延在され、上方側へ開放された溝状を成すと共に、前記防水シートから前記フレームの長手方向他方側へ流出される液体を受ける水受部と、前記水受部の底部に形成された排水部に接続され、前記排水部から排出された液体を下方側へ導く排水管と、を備えた身体洗い場兼用ベッドである。
【０００７】
上記課題を解決する第２の態様は、前記フレームが、幅方向中央部において分割された分割フレームによって構成されると共に、前記水受部が前記フレームに着脱可能に構成されており、前記分割フレームが前記フレームの長手方向を軸方向として回転可能に連結されている身体洗い場兼用ベッドである。
【考案の効果】
【０００８】
上記構成の身体洗い場兼用ベッドによれば、簡易な構成で排水を行うことができる。
【図面の簡単な説明】
【０００９】
【図１】図１は、第１の実施の形態に係る身体洗い場兼用ベッドの要部を分解して示す分解斜視図である。
【図２】図２（Ａ）は、図１に示される身体洗い場兼用ベッドを長手方向他方側から見た正面図であり、図２（Ｂ）は、図１に示される身体洗い場兼用ベッドを上方側から見た平面図であり、図２（Ｃ）は、図１に示される身体洗い場兼用ベッドを幅方向他方側から見た側面図である。
【図３】図３（Ａ）は、第２の実施の形態に係る身体洗い場兼用ベッドを示す平面図であり、図３（Ｂ）は、図３（Ａ）に示される身体洗い場兼用ベッドを長手方向他方側から見た断面図（図３（Ａ）の３Ｂ−３Ｂ線断面図）である。
【考案を実施するための形態】
【００１０】
＜第１の実施の形態＞
以下、図１及び図２を用いて、第１の実施の形態に係る身体洗い場兼用ベッド１０（以下、単に「ベッド１０」という）について説明する。このベッド１０は、寝具としての機能と、例えば被介護者の身体を洗うときの洗い場としての機能と、２つの機能を備えている。なお、図面に適宜示される矢印ＵＰはベッド１０の上方側を示しており、矢印Ｗ１及び矢印Ｗ２はベッド１０の幅方向を示しており、矢印Ｌ１及びＬ２はベッド１０の長手方向を示している。
【００１１】
ベッド１０は、ベッド１０の上部を構成するフレーム１２と、フレーム１２上に載置される防水シート１６と、ベッド１０を洗い場として用いるときに使用される水等の液体を排水するための排水機構２０と、を含んで構成されている。
【００１２】
フレーム１２は、略上下方向を厚み方向とした略直方体状に形成されて、ベッド１０が設置される床面等に対して傾斜して配置されている。具体的には、フレーム１２が、フレーム１２の長手方向一方側（図１及び図２の矢印Ｌ１方向側）から長手方向他方側（図１及び図２の矢印Ｌ２方向側）へ向かうに従い下方側へ緩やかに傾斜されている。
【００１３】
フレーム１２の上面には、被介護者が載置される凹部１２Ａが形成されている。この凹部１２Ａは、平面視でフレーム１２の外形と略相似形を成す矩形状に形成されると共に、上方側へ且つフレーム１２の長手方向他方側へ開放されている。すなわち、フレーム１２の外周部には、凹部１２Ａの外周部を構成する枠部１２Ｂが形成されており、枠部１２Ｂが、平面視でフレーム１２の長手方向他方側へ開放された略Ｕ字形状に形成されている。
【００１４】
また、凹部１２Ａの底面は、フレーム１２の傾斜に伴って、フレーム１２の長手方向一方側から長手方向他方側へ向かうに従い下方側へ緩やかに傾斜されている。そして、本実施の形態では、一例として、凹部１２Ａの底面における長手方向一端と、長手方向他端との高低差が、１０ｃｍに設定されている。
【００１５】
さらに、フレーム１２の下面には、４角の位置において、脚部１４が固定されている。この脚部１４は、フレーム１２の下面から下方側へ延出されており、脚部１４の下端が床面に設置されている。これにより、フレーム１２が脚部１４によって支持されている。
【００１６】
防水シート１６は、フレーム１２の凹部１２Ａの全体を上方側から覆うように配置されている。具体的には、防水シート１６は、凹部１２Ａの内周面に沿うように、上方側へ且つフレーム１２の長手方向他方側へ開放された凹状を成している。そして、防水シート１６の外周縁部には、長手方向他方側の端部を除いて、外側へ張り出されたフランジ１６Ａが形成されており、フランジ１６Ａがフレーム１２の枠部１２Ｂの上面に固定されている。
【００１７】
また、防水シート１６の長手方向他方側の端部には、排水シート部１６Ｂが形成されており、排水シート部１６Ｂは、防水シート１６から下方側へ延出されて、後述する水受部２２内に配置されるようになっている。
【００１８】
さらに、本実施の形態では、ベッド１０を洗い場として使用しない場合には、防水シート１６の上側にマットレスＭを載置して、当該マットレスＭをフレーム１２の凹部１２Ａ内に配置するようになっている。これにより、ベッド１０を寝具として使用できるように構成されている。
【００１９】
排水機構２０は、フレーム１２の長手方向他方側の端部に設けられている。この排水機構２０は、水受部２２と、排水管２４とを含んで構成されている。
水受部２２は、フレーム１２の幅方向に延在されると共に、上方側へ開放された凹状（溝状）に形成されている。そして、水受部２２が、フレーム１２の長手方向他方側の端面に隣接して配置されて、フレーム１２に固定されている。具体的には、水受部２２の長手方向の寸法がフレーム１２の幅方向の寸法に一致しており、水受部２２の上面が、フレーム１２の枠部１２Ｂの上面に面一となるように配置されている。さらに、水受部２２の底壁は、フレーム１２における凹部１２Ａの底面よりも下方側に配置されている。
【００２０】
また、水受部２２の内部は、溝部２２Ａとされており、溝部２２Ａが、フレーム１２の幅方向に沿って延在されている。さらに、水受部２２におけるフレーム１２の長手方向他方側の端面に隣接する側壁には、上方側へ開放された切欠部２２Ｂが形成されている。この切欠部２２Ｂの幅寸法は、フレーム１２の凹部１２Ａの幅寸法よりも大きく設定されており、切欠部２２Ｂの底面が凹部１２Ａの底面よりも下方側に配置されている。これにより、フレーム１２における凹部１２Ａの内部と溝部２２Ａの内部とが切欠部２２Ｂによって連通されている。そして、前述した防水シート１６の排水シート部１６Ｂが水受部２２の切欠部２２Ｂを介して溝部２２Ａの内部に配置されている。これにより、防水シート１６上をつたって防水シート１６の排水シート部１６Ｂに流れた水等の液体を、水受部２２（の溝部２２Ａ）が受けるように構成されている。
【００２１】
また、水受部２２の底壁（すなわち、溝部２２Ａの底面）は、水受部２２の長手方向一方側（図１及び図２の矢印Ｗ１方向側）から長手方向他方側（図１及び図２の矢印Ｗ２方向側）へ向かうに従い下方側へ傾斜されている。さらに、水受部２２の底壁における長手方向他方側の端部には、排水部２２Ｃが一体に形成されている。この排水部２２Ｃは、上下方向を軸方向とした略円筒状に形成されて、水受部２２の底壁から下方側へ延出されている。そして、排水部２２Ｃの内部が排水孔２２Ｄとされており、排水孔２２Ｄが溝部２２Ａの内部と連通されている。これにより、水受部２２の溝部２２Ａによって受けた水等の液体を、排水部２２Ｃ（排水孔２２Ｄ）から下方側へ排水する構成になっている。
【００２２】
排水管２４は、略パイプ状に形成されて、水受部２２の下側に配置されている。具体的には、排水管２４は、ベッド１０の長手方向から見て、ベッド１０の幅方向一方側から幅方向他方側へ向かうに従い上方側へ傾斜されている。また、排水管２４の上端部は、接続部２４Ａとされており、接続部２４Ａは上方側へ屈曲されて、水受部２２の排水部２２Ｃに接続されている。一方、排水管２４の下端部には、図示しない延長ホースの一端部が接続されており、延長ホースは、浴室などの排水機能をもつ場所まで延出されている。これにより、水受部２２から排水管２４を介して排出された水等の液体を、浴室などに排水するように構成されている。
【００２３】
次に、第１の実施の形態の作用及び効果について説明する。
上記のように構成されたベッド１０を洗い場として使用する場合には、マットレスＭをフレーム１２の凹部１２Ａから取除く。これにより、当該凹部１２Ａ内に被介護者を載置することで、フレーム１２の凹部１２Ａを洗い場として使用することができる。このとき、例えば、被介護者の頭部をフレーム１２の長手方向一方側に配置して、凹部１２Ａ内に被介護者を横たわるように載置して、被介護者の身体を洗うことができる。
【００２４】
そして、凹部１２Ａ内に載置された被介護者の身体を洗うときには、使用される水などの液体が、防水シート１６上に流れ出る。このとき、フレーム１２における凹部１２Ａの底面は、長手方向一方側から長手方向他方側へ向かうに従い下側へ傾斜されているため、当該液体が防水シート１６上をつたって、防水シート１６の排水シート部１６Ｂ側へ流れる。
【００２５】
ここで、フレーム１２の長手方向他方側の端部には、フレーム１２の幅方向に延在された溝状の水受部２２が設けられている。この水受部２２の内部は、溝部２２Ａとされており、溝部２２Ａの内部に、防水シート１６の排水シート部１６Ｂが配置されている。また、溝部２２Ａの底壁には、排水部２２Ｃが形成されており、排水部２２Ｃには、排水管２４の接続部２４Ａが接続されている。これにより、防水シート１６の排水シート部１６Ｂから下方側へ流れた液体を、水受部２２によって受けて、排水管２４を介して浴室などに排水することができる。したがって、被介護者の身体を洗うときに使用される水などの液体を、簡易な構成で排水することができる。これにより、ベッド１０を利用する利用者（被介護者及び介護者）の負担を軽減することができる。
【００２６】
また、水受部２２では、底壁（溝部２２Ａの底面）が、水受部２２の長手方向一方側から長手方向他方側へ向かうに従い下方側に傾斜されており、水受部２２の長手方向他方側の端部における底壁に、排水管２４と接続される排水部２２Ｃが形成されている。これにより、水受部２２によって受けた液体を排水部２２Ｃへ効率よく流して、排水管２４から排水することができる。
【００２７】
さらに、凹部１２Ａ内には、マットレスＭを配置可能に構成されている。このため、ベッド１０を洗い場として使用した後に、防水シート１６に付着した液体を拭き取り、凹部１２Ａ内にマットレスＭを配置することで、ベッド１０を寝具として使用することができる。
【００２８】
なお、第１の実施の形態では、水受部２２がフレーム１２に固定されているが、水受部２２をフレーム１２に着脱可能に構成してもよい。この場合には、ベッド１０から水受部２２を取外した状態で、排水機構２０の洗浄を行うことができる。
【００２９】
また、第１の実施の形態では、排水管２４がパイプ状に形成されているが、排水管２４の形態はこれに限らない。例えば、排水管２４を、伸縮可能な蛇腹状に形成して、排水管２４の一端部を水受部２２の排水部２２Ｃに接続してもよい。これにより、排水管２４の不使用時において、排水管２４を、コンパクトにした状態で、水受部２２の下側に収納することができる。また、この場合には、排水管２４の伸長時の長さを、浴室などの排水可能な場所まで届くように設定しておくことで、排水管２４に接続される延長ホースを省略してもよい。
【００３０】
さらに、第１の実施の形態では、水受部２２の排水部２２Ｃから排出された液体を、排水管２４に沿って排水するように構成されているが、例えば、浴室などの排水可能な場所まで効率よく排出させるために、排水管２４にポンプを設けてもよい。例えば、排水管２４を長手方向に分割して、分割した排水管を、モータなどで駆動するポンプによって連結してもよい。これにより、浴室などの排水可能な場所と、ベッド１０と、の間の距離が比較的長い場合でも、排水管２４に導かれた液体を、浴室などの排水可能な場所に効率よく導くことができる。
【００３１】
また、第１の実施の形態では、フレーム１２を支持する脚部１４を、折り畳み式の脚部として構成してもよい。また、当該脚部１４を上下方向に伸縮可能な構成にして、フレーム１２の上下方向の高さを可変に構成してもよい。
【００３２】
また、第１の実施の形態では、水受部２２の長手方向他方側の端部に排水部２２Ｃを設けているが、排水部２２Ｃの位置は任意に設定可能である。例えば、水受部２２の底壁における長手方向中間部に排水部２２Ｃを設けてもよい。この場合には、水受部２２の底壁を長手方向中間部へ向かうに従い下方側へ傾斜させてもよい。
【００３３】
また、第１の実施の形態では、防水シート１６がフレーム１２に固定されているが、防水シート１６をフレーム１２に着脱可能に構成してもよい。また、ベッド１０を洗い場として使用するときのみ、防水シート１６をフレーム１２の凹部１２Ａ上に載置するように構成してもよい。この場合には、防水シート１６をフレーム１２から取外した状態で洗浄することができる。
【００３４】
＜第２の実施の形態＞
以下、図３を用いて、第２の実施の形態に係る身体洗い場兼用ベッド４０（以下、単に「ベッド４０」という）について説明する。第２の実施の形態のベッド４０は、以下に示す点を除いて、第１の実施の形態のベッド１０と同様に構成されている。なお、以下の説明では、第１の実施の形態と同様に構成されている部分については同一の符号を付している。
【００３５】
すなわち、第２の実施の形態のベッド４０では、フレーム１２が、幅方向中央部で分割された分割構造を成している。具体的には、フレーム１２が、フレーム１２の幅方向一方側の部分を構成する「分割フレーム」としての第１フレーム部４２と、フレーム１２の幅方向他方側の部分を構成する「分割フレーム」としての第２フレーム部４４と、を含んで構成されている。そして、第１フレーム部４２と第２フレーム部４４とが、幅方向に突き合わされる部分において、フレーム１２の長手方向を軸方向とした軸部４６によって、回転可能に連結されている。なお、図示は省略するが、軸部４６は、脚部１４の下端部などに相対移動不能に連結されている。
【００３６】
また、第１フレーム部４２及び第２フレーム部４４の下面には、脚部１４と第１フレーム部４２及び第２フレーム部４４とを連結するための複数（本実施の形態では４箇所）の連結プレート４８が、それぞれ設けられている。この連結プレート４８は、フレーム１２の長手方向を板厚方向として第１フレーム部４２（第２フレーム部４４）の幅方向に延在されて、第１フレーム部４２（第２フレーム部４４）に固定されている。また、連結プレート４８の中央部には、連結プレート４８の長手方向に延在された長孔状のスライド孔４８Ａが貫通形成されている。
【００３７】
さらに、第２の実施の形態では、脚部１４が上下に分割された分割構造を成しており、脚部１４の上部が、脚部１４の下部に対して相対移動可能（伸縮可能）に連結されている。また、脚部１４の上端部には、連結部５０が一体に設けられており、連結部５０には、フレーム１２の長手方向を軸方向とした連結軸５０Ａが固定されている。そして、連結軸５０Ａが、前述した連結プレート４８のスライド孔４８Ａ内にスライド可能に挿入されている。
【００３８】
これにより、例えば、第１フレーム部４２を支持する脚部１４を伸長した状態から縮小させることで、連結部５０の連結軸５０Ａが連結プレート４８のスライド孔４８Ａ内をスライドすると共に、第１フレーム部４２が、軸部４６の軸回りに回転する。これにより、第１フレーム部４２が、第２フレーム部４４に対して下方側へ傾倒するようになっている（図３（Ｂ）にて２点鎖線で示される第１フレーム部４２を参照）。一方、第２フレーム部４４を支持する脚部１４を伸長した状態から縮小させることで、連結部５０の連結軸５０Ａが連結プレート４８のスライド孔４８Ａ内をスライドすると共に、第２フレーム部４４が、軸部４６の軸回りに回転する。これにより、第２フレーム部４４が、第１フレーム部４２に対して下方側へ傾倒するようになっている（図３（Ｂ）にて２点鎖線で示される第２フレーム部４４を参照）。
【００３９】
さらに、第２の実施の形態では、水受部２２が、フレーム１２に着脱可能に構成されている。
【００４０】
そして、第２の実施の形態のベッド４０を洗い場として使用する場合には、第１の実施の形態と同様に、マットレスＭ（図３では不図示）をフレーム１２の凹部１２Ａから取除く。これにより、当該凹部１２Ａ内に被介護者Ｐを載置することで、フレーム１２の凹部１２Ａを洗い場として使用することができる。このとき、例えば、被介護者Ｐの頭部をフレーム１２の長手方向一方側にして、凹部１２Ａ内に被介護者Ｐを横たわるように載置して、被介護者Ｐの身体を洗うことができる。
【００４１】
さらに、フレーム１２の長手方向他方側の端部には、フレーム１２の幅方向に延在された溝状の水受部２２が設けられている。これにより、防水シート１６の排水シート部１６Ｂから下方側へ流れた液体を、水受部２２によって受けて、排水管２４を介して浴室などに排水することができる。したがって、第２の実施の形態においても第１の実施の形態と同様の作用及び効果を奏することができる。
【００４２】
また、第２の実施の形態では、水受部２２が、フレーム１２に着脱可能に構成されている。さらに、フレーム１２が、幅方向中央部で分割されて、第１フレーム部４２及び第２フレーム部４４を含んで構成されている。そして、第１フレーム部４２と第２フレーム部４４とが、フレーム１２の長手方向を軸方向として回転可能に連結されている。
【００４３】
このため、水受部２２をフレーム１２から取外した状態において、第１フレーム部４２を支持する脚部１４を伸長させた状態から縮小させることで、第１フレーム部４２が、軸部４６の軸回りに回転して、第２フレーム部４４に対して下方側へ回転される。これにより、第１フレーム部４２が、被介護者Ｐの身体から下方側へ傾倒して、第１フレーム部４２と被介護者Ｐの身体の幅方向一方側の部分との間に隙間が形成される。これにより、当該隙間に介護者の手を差し込んで、被介護者Ｐの身体の幅方向一方側の部分における背部などを拭いたりすることができる。
【００４４】
また、同様に、水受部２２をフレーム１２から取外した状態において、第２フレーム部４４を支持する脚部１４を伸長させた状態から縮小させることで、第２フレーム部４４が、軸部４６の軸回りに回転して、第１フレーム部４２に対して下方側へ相対回転される。これにより、第２フレーム部４４が、被介護者Ｐの身体から下方側へ傾倒して、第２フレーム部４４と被介護者Ｐの身体の幅方向他方側の部分との間に隙間が形成される。これにより、当該隙間に介護者の手を差し込んで、被介護者Ｐの身体の幅方向他方側の部分における背部などを拭いたりすることができる。
【００４５】
したがって、第２の実施の形態のベッド４０によれば、上述のように、第１フレーム部４２（第２フレーム部４４）を第２フレーム部４４（第１フレーム部４２）に対して相対回転させることで、フレーム１２の凹部１２Ａ内に横たわる被介護者Ｐと第１フレーム部４２（第２フレーム部４４）との間に隙間を形成することができる。このため、当該隙間に介護者の手を差し込むことで、非力な被介護者の身体を動かすことを抑制しつつ、被介護者の背部などを洗うことができる。よって、ベッド４０を利用する利用者（被介護者Ｐ及び介護者）の負担を軽減しつつ、被介護者の身体を洗うことができる。
【００４６】
なお、第１の実施の形態では、ベッド１０のフレーム１２が一体に構成されているが、当該フレームを、長手方向中間部において分割して、当該分割部にリクライニング機構を設けてもよい。また、この場合には、フレーム１２の分割位置に対応して、マットレスＭを分割してもよい。これにより、被介護者Ｐの頭部が載置される分割フレームを起こすことで、被介護者Ｐに対する利便性を向上することができる。
【符号の説明】
【００４７】
１０          身体洗い場兼用ベッド
１２          フレーム
１２Ａ        凹部
１２Ｂ        枠部
１４          脚部
１６          防水シート
１６Ａ        フランジ
１６Ｂ        排水シート部
２０          排水機構
２２          水受部
２２Ａ        溝部
２２Ｂ        切欠部
２２Ｃ        排水部
２２Ｄ        排水孔
２４          排水管
２４Ａ        接続部
４０          身体洗い場兼用ベッド
４２          第１フレーム部（分割フレーム）
４４          第２フレーム部（分割フレーム）
４６          軸部
４８          連結プレート
４８Ａ        スライド孔
５０          連結部
５０Ａ        連結軸
Ｍ            マットレス
Ｐ            被介護者
【図１】
0003211685.tif 000003
【図２】
0003211685.tif 000004
【図３】
0003211685.tif 000005